(57)【要約】【課題】  確実に動き止めができるうえにコストダウンを図ることができるヘア処理装置を目的とするものである。【解決手段】  ヘア処理器４の可動フレーム９とヘア処理器取付用のベースフレーム７とを枢軸３３枢着するとともに該可動フレーム９とベースフレーム７とに両者を折り畳み方向に付勢する引張ばね３５を係止し、また前記可動フレーム９にラチェット爪３２を枢着し、前記ベースフレーム７にラチェット歯車３１を固定して該ラチェット歯車３１に係止される前記ラチェット爪３２が、ラチェット歯３１の左右いずれかのフランクに係止されて荷重を受ける方向を切り換える切換機構３４を設けたラチェット機構３０よりなる傾動機構８を介してヘア処理器４をヘッド本体１に対して可動自在に取り付けたものである。【選択図】      図１
2005087534.tif 000002
【特許請求の範囲】
【請求項１】
ヘア処理器の可動フレームとヘア処理器取付用のベースフレームとを枢軸枢着するとともに該可動フレームとベースフレームとに両者を折り畳み方向に付勢する引張ばねを係止し、また前記可動フレームにラチェット爪を枢着し、前記ベースフレームにラチェット歯車を固定して該ラチェット歯車に係止される前記ラチェット爪が、ラチェット歯の左右いずれかのフランクに係止されて荷重を受ける方向を切り換える切換機構を設けたラチェット機構よりなる傾動機構を介してヘア処理器をヘッド本体に対して可動自在に取り付けたことを特徴とするヘア処理装置。
【請求項２】
切換機構が、ラチェット爪をラチェット歯の左右いずれかのフランクに当接させる姿勢保持用ばねと、ラチェット歯車にラチェット爪姿勢切換用の無歯部とを設けたものであることを特徴とする請求項１に記載のヘア処理装置。
【請求項３】
ヘア処理器が加熱機と送風機とミスト噴霧機とを組み合せたものであることを特徴とする請求項１または２のいずれかに記載のヘア処理装置。
【請求項４】
ミスト噴霧機より噴霧される温ミストがミスト類の再加熱装置により生成されることを特徴とする請求項３に記載のヘア処理装置。
【発明の詳細な説明】
【技術分野】
【０００１】
本発明は美容院や理容院に配備されて各種ヘア処理を行なうヘア処理器を被施術部位に簡単に配置させることができるヘア処理装置に関するものである。
【背景技術】
【０００２】
従来、美容院や理容院に配備されるヘア処理装置には、加熱ヒータや送風機、ミスト噴霧機を組み込んだヘア処理部が被施術部位に接離自在となるよう可動機構を介してヘッドに取り付け、該ヘッドをワゴンに搭載したり、院内に設置された可動アームにヘッドを装着したものが本出願人により出願されている（例えば、特許文献１）。
【０００３】
しかし、加熱ヒータや送風機、ミスト噴霧機を組み込んだヘア処理部は重くなるため、上方に配置されるヘア処理部を上下枢動させる可動機構は、複数本のフレキシブルチューブを束ねてヘア処理部の重さに耐えるようにする必要があった。しかしフレキシブルチューブを束ねるため可動機構が大きくなるという問題が生じた。またフレキシブルチューブは荷重を支えている状態において力を加えれば簡単に屈曲するので、上方に配置されるヘア処理部を確実に動きを止めようとする場合にはストッパ機構が不可欠となった。しかし可動機構にストッパ機構を組み込むことにより構造が複雑になるうえに大型化し重くなるという問題があった。またヘア処理部をラチェット機構により可動することも考えられるが、ラチェット機構は荷重を受ける方向が一定のため荷重を受ける方向に応じたものが必要になり製作コストが高くなるうえに在庫管理が厄介となる。また組み付け時の間違いを防止するための部品に識別用のタグ等を取り付ける必要が生じるという問題があった。
【特許文献１】特開２００２−１７７０４１号公報
【発明の開示】
【発明が解決しようとする課題】
【０００４】
本発明は確実に動き止めができるうえにコストダウンを図ることができるヘア処理装置を提供することを目的とするものである。
【課題を解決するための手段】
【０００５】
前述の目的を達成するため本発明は、ヘア処理器の可動フレームとヘア処理器取付用のベースフレームとを枢軸枢着するとともに該可動フレームとベースフレームとに両者を折り畳み方向に付勢する引張ばねを係止し、また前記可動フレームにラチェット爪を枢着し、前記ベースフレームにラチェット歯車を固定して該ラチェット歯車に係止される前記ラチェット爪が、ラチェット歯の左右いずれかのフランクに係止されて荷重を受ける方向を切り換える切換機構を設けたラチェット機構よりなる傾動機構を介してヘア処理器をヘッド本体に対して可動自在に取り付けたヘア処理装置を請求項１の発明とし、請求項１の発明において、切換機構が、ラチェット爪をラチェット歯の左右いずれかのフランクに当接させる姿勢保持用ばねと、ラチェット歯車にラチェット爪姿勢切換用の無歯部とを設けたヘア処理装置を請求項２の発明とし、請求項１または２の発明において、ヘア処理器が加熱機と送風機とミスト噴霧機とを組み合せたヘア処理装置を請求項３の発明とし、請求項３の発明において、ミスト噴霧機より噴霧される温ミストがミスト類の再加熱装置により生成されるヘア処理装置を請求項４の発明とするものである。
【発明の効果】
【０００６】
本発明の請求項１のように、ヘア処理器の可動フレームとヘア処理器取付用のベースフレームとを枢軸枢着するとともに該可動フレームとベースフレームとに両者を折り畳み方向に付勢する引張ばねを係止し、また前記可動フレームにラチェット爪を枢着し、前記ベースフレームにラチェット歯車を固定して該ラチェット歯車に係止される前記ラチェット爪が、ラチェット歯の左右いずれかのフランクに係止されて荷重を受ける方向を切り換える切換機構を設けたラチェット機構よりなる傾動機構を介してヘア処理器をヘッド本体に対して可動自在に取り付けたものとしたから、確実な位置決めができるうえに、ラチェット歯車を鉛直線に対して左右に形成するものとすれば、ヘア側部の施術を行うため略垂直に配置させたヘア処理器を斜め下向きや斜め上向きに傾動させたり、ヘア上部の施術を行うため水平に配置されているヘア処理器を左右斜め上向きに傾動させることができるので、被施術部位に的確に対応させることができる。しかも同じ構造で荷重を受ける方向を簡単に変えることができるので、１種類のラチェット機構を組み込むだけでよく、正逆いずれの方向にも対応できるコストを低減できるうえに、組み付けミスを生じさせることがないので、識別用のタグを付けたりする必要がなくなり組み付けコストも低減できるうえに、在庫管理も簡易化することができることとなる。
また請求項２のように、切換機構が、ラチェット爪をラチェット歯の左右いずれかのフランクに当接させる姿勢保持用ばねと、ラチェット歯車にラチェット爪姿勢切換用の無歯部とを設けたものとすることにより、ラチェット爪を無歯部に介入させれば、姿勢保持ばねによる付勢力が解除されたラチェット爪は一旦自由な状態になるので、ラチェット歯に再度係止させるだけでラチェット爪は簡単に反対側のフランクに係止するよう切り換えができるので、ワンタッチ動作で荷重を受ける方向を簡単に切り換えできるものとなる。
請求項３のように、ヘア処理器が加熱機と送風機とミスト噴霧機とを組み合せたものとすることにより、種々の施術を一台のヘア処理部で効率的に行うことができる。
【発明を実施するための最良の形態】
【０００７】
次に、本発明の好ましい実施の形態を図に示すヘア処理装置に基づいて詳細に説明する。
【０００８】
図１、２中、１はヘッド本体であり、該ヘッド本体１には図１２に示されるような蒸気発生機構２とミスト発生機構３とが内蔵されている。また前記ヘッド本体１には図１、２に示されるように複数のヘア処理器４が取り付けられている。該ヘア処理器４は図５、６、７に示されるような一つまたは一つ以上のラチェット機構３０よりなる傾動機構８を介してヘッド本体１に対して可動自在に取り付けられるもので、該傾動機構８によりヘア処理器４全体を動かしたり、ヘア処理器４自体を斜めに傾斜させたりするものである。またヘア処理器４の可動フレーム９とヘア処理器取付用のベースフレーム７とは枢軸３３に枢着されるとともに引張ばね３５により可動フレーム９とベースフレーム７とは折り畳み方向に付勢されている。
【０００９】
ヘア処理器４の上下一対の後部ヘア処理部４ａは図１０に示されるように、ヘッド本体１の前面に固定されるものであり、またヘア処理器４の前後一対の頂部ヘア処理部４ｂは傾動機構８により図４に鎖線で示されるように垂直方向に枢動されたり、図６に示されるように水平状態の頂部ヘア処理部４ｂを左右斜め横向きに枢動することができるようヘッド本体１に取り付けられている。さらにヘア処理器４の側部ヘア処理部４ｃは傾動機構８により図５に示されるように水平方向に枢動されたり、図７に示されるように垂直状態の側部ヘア処理部４ｃを斜め上向や下向きに枢動させることができるようヘッド本体１に取り付けられている。そして上下一対の後部ヘア処理部４ａ、前後一対の頂部ヘア処理部４ｂ、左右の側部ヘア処理部４ｃは各対を同時または個別あるいは各処理部を同時あるいは個別に作動させることができるようになっている。
【００１０】
前記傾動機構８によるヘア処理器４の枢動動作は被施術用椅子に座っている被施術者の被施術部位への適正な位置合せを行うためのものであり、各ヘア処理器４を被施術者の頭部位置に合わせる際には、上下位置調整機構１０および左右位置調整機構１５により行うものとしている。前記上下位置調整機構１０は上下枢動できるヘッド取付アーム１１または図示しない高さ調整できる被施術者用椅子あるいはヘッド取付用キャスター付きスタンド１２等からなるものとし、左右位置調整機構１５は水平回動できるヘッド取付アーム１１、ヘッド取付用キャスター付きスタンド１２等からなるものとしている。
【００１１】
図１０に示されるようなヘッド取付用キャスター付きスタンド１２では、スタンドの支柱をスライド自在なものとし、該支柱を任意の長さにおいて固定ノブ１０ｂにより締め付け固定することにより高さ調整を行う上下位置調整機構１０とキャスターによる左右位置調整機構１５とを有するものとしているので、被施術者用椅子は高価な高さ調整機能が不要となる。
【００１２】
図１１に示されるような、ヘッド取付アーム１１は、壁や天井あるいは天井と床間に立設される図示しないスタンドに固定されるブラケットにアーム１１ｂを水平回動自在に軸支させるとともに、該アーム１１ｂの先端に伸縮アーム１１ｃの基端を上下枢動自在に軸支し、該伸縮アーム１１ｃの先端にヘッド本体１を枢着したものである。このようにヘッド取付アーム１１にヘッド本体１を装着することにより、ヘッド本体１をヘッド取付用ワゴンやヘッド取付用キャスター付きスタンドに装着した場合のように、床を占有しないので施術者の作業を邪魔することがない。しかもヘッド取付アーム１１には上下枢動機能があるので高さ調整自在な高価な被施術者用椅子を用いる必要はないものとなる。
【００１３】
前記、ヘア処理器４には図８、９に示されるような加熱機２０と送風機２１とミスト噴霧機２２が取り付けられるもので、加熱機２０と送風機２１とミスト噴霧機２２は同時あるいは各々を個別に作動させることができることとなる。
【００１４】
そして、ヘア処理器４のミスト噴霧機２２には図１２に示される蒸気発生機構２とミスト発生機構３により生成された５０℃以上のミスト類が供給され、該ミストを図８に示される再加熱装置２３により６０℃前後に再加熱して低下した温度を上げるようにしたものである。再加熱装置２３はヒータ２３ａと送風機２３ｂとからなるもので、送風機２３ｂから送出される送風をヒータ２３ａを通過させて熱風とし、該熱風によりミストを再加熱して６０℃前後の温ミストとするものである。
【００１５】
また前記傾動機構８はラチェット機構３０よりなるもので、ラチェット機構３０は図１に示されるように、ヘア処理器取付用のベースフレーム７に取り付けられるラチェット歯車３１と、ヘア処理器４側の可動フレーム９に枢着されるラチェット爪３２と、前記ベースフレーム７と可動フレーム９を枢着する枢軸３３と、ラチェット爪３２の姿勢を切り換える切換機構３４とからなるものである。該切換機構３４により図２、３に示されるように、ラチェット爪３２の姿勢は切り換えられてラチェット歯３１ａの左右いずれかのフランクに係止され、異なる向きの荷重を受けることができるようになっている。実施の形態では可動フレーム９は同じ枢動角において、荷重を受ける方向のみが反対となるようにしているが、ラチェット歯車３１を鉛直線で左右に分割配置するものとして、図６、７に示されるように水平や垂直に位置しているヘア処理器４を左右斜めや下向き上向きに傾けるものとしてもよい。
【００１６】
前記切換機構３４はヘア処理器４側の可動フレーム９に枢着されて枢動自在とされるラチェット爪３２をラチェット歯３１ａの左右いずれかのフランクに圧接させる姿勢保持用ばね３６と、ラチェット歯車３１に形成されるラチェット爪姿勢切換用の無歯部３７とからなるものである。ラチェット爪３２を付勢する姿勢保持用ばね３６の一端はラチェット爪３２のばね係止片３２ａに係止され、他端は可動フレーム９に形成されるばね係止片９ａに係止されるものである。
【００１７】
また前記無歯部３７はラチェット歯３１ａの略一歯分の空間としている。このためラチェット爪３２が無歯部３７に介入されてば、姿勢保持ばね３６による付勢力が解除されてラチェット爪３２には一旦自由な状態になるので、ラチェット爪３２を再びラチェット歯３１ａに係止するように可動フレーム９を逆方向に枢動させれば、ラチェット爪３２は姿勢を逆向きにして反対側のフランクに係止されるよう切り換えられることとなる。また無歯部３７はラチェット歯車３１の両端縁のストッパ歯と終端のラチェット歯３１ａ間に形成されるものとしているが、必要に応じて任意のラチェット歯３１ａ間に形成してもよいことは勿論である。
【００１８】
さらに、前記加熱機２０は図８、９に示されるように、断面略半円形の環状反射板２０ａと、該環状反射板２０ａの前方に配置される円弧状の遠赤外線ヒータ２０ｂとからなるものであり、該加熱機２０はパーマやヘヤダイの際、薬液の反応促進を促したり、遠赤外線効果により頭皮やヘアの細胞の代謝機能を活性化したり、洗髪されたヘアの乾燥を行なうものである。２０ｃは遠赤外線ヒータ２０ｂを支持する碍子である。
【００１９】
また、送風機２１はモータに駆動されるファン２１ａよりなるものであり、前記加熱機２０とは各別または同時に作動することができ、送風機２１のみを作動させてヘアの表面水分のみを乾燥させて艶出しを行なったり、加熱機２０と同時に作動させて急速乾燥を行なうことができるものである。２１ｂは背面に形成される送風空気吸引用の吸気口である。
【００２０】
４０はミスト噴霧機２２に設けられる液垂れ防止装置であり、該液垂れ防止装置４０は図８に示されるように、噴霧ノズル２２ａの開口内周縁に環状の堰２２ｂを形成して結露水が垂れ落ちを防ぐとともに、噴霧ノズル２２ａの周囲に形成したヒータ２４により噴霧ノズル２２ａの結露水を蒸発乾燥させるようにしている。また前記堰２２ｂを内周端縁に形成される外広がりの鋭角部とすることにより、噴霧ノズル２２ａの先端に付着した結露水が表面張力により垂落ちが続くことを防止できる。
【００２１】
また、前記した蒸気発生機構２とミスト発生機構３はミスト噴霧機２２にミストを供給するものであり、蒸気発生機構２は図１２に示されるように蒸気窯５０と、該蒸気窯５０内に配置されるシーズヒータ５０ａとよりなる。前記ミスト発生機構３は水タンク５１と、該水タンク５１の底部に配置させた超音波振動子５１ａと、水タンク５１に水を定量供給するための着脱自在な給水タンク５１ｃと、超音波振動子５１ａにより発生したミストを送出させる送風ファン５１ｄとからなるものである。５２は給水タンク５１ｃの給水ノズルであり、該給水ノズル５２は先端が閉塞され、給水水位レベル位置の側壁に通水孔を透設することにより、常に、水位を一定に維持できるものとしている。また、５３は水タンク５１内に先端を水面から若干離した位置に配置させた区画板であり、該区画板５３はミスト生成部と送風部とに区画するもので、発生させたミストが送風部に流入しないようにするものである。
【００２２】
５５はミストと蒸気を混合する混合器であり、該混合器５５は図１２に示されるように、その側壁にミスト発生機構３のミスト供給管５５ａと、蒸気発生機構２の蒸気供給管５５ｂとが接続されている。また該混合器５５の出口にはイオン発生装置５６とサーミスタが設けられている。イオン発生装置５６は蒸気やミストに含まれる薬剤臭をイオンにより分解して脱臭を行なうものであり、サーミスタはミストの温度に基づいて蒸気とミストの混合率、すなわち、蒸気発生機構２のシーズヒータ５０ａをオンオフすることにより蒸気の供給量を変え、ミストを所定温度にするものである。５７は混合器５５の底部に設けられる結露水排出用のドレン管であり、該ドレン管５７は蒸気発生機構２とミスト発生機構３とに接続されている。５８はドレン弁である。
【００２３】
６０、６０はミストの分配部であり、該分配部６０は接続管を介してヘア処理器４のミスト噴霧機２２やヘアキャップ６１、手持ち式の蒸気ミスト噴霧機６２等にミストを供給するものである。
【００２４】
このように構成されたものは、先ず、使用環境や設置条件に合わせて高さ調整自在なヘッド取付用キャスタ付きスタンド１２にヘッド本体１を取り付けたり、建物に固定したヘッド取付アーム１１にヘッド本体１を取り付けたものを美容室や理容室に配備する。
【００２５】
そして、使用にあたっては、施術者は先ずヘッド本体１位置を被施術者の頭部位置に合わせる。この位置合わせは、ヘッド本体１が上下位置調整機構１０と左右位置調整機構１５とを有する高さ調整自在なヘッド取付用キャスタ付きスタンド１２に取り付けられているときは、ヘッド取付用キャスタ付きスタンド１２を床上で水平移動させてヘッド本体１の左右位置の調整を行なうとともに、ヘッド取付用キャスタ付きスタンド１２の高さを手動で調整して固定ノブ１０ｂにより締め付け固定してヘッド本体１の上下位置を調整する。そしてヘッド本体１が上下位置調整機構１０と左右位置調整機構１５とを有するヘッド取付アーム１１に取り付けられているときは、図１１に示されるように、壁や天井あるいは床等に固定されたブラケット１１ａに軸支されるアーム１１ｂを水平回動させたり、該アーム１１ｂに軸支される伸縮アーム１１ｃを上下枢動させて行なう。
【００２６】
またヘッド取付用キャスタ付きスタンド１２に上下位置調整機構１０がない場合には、上下位置調整機構１５を有する高さ調整自在な被施術者用椅子により被施術者の頭部の上下方向への位置合わせを行なうものとする。
【００２７】
このようにして、被施術者の頭部とヘッド本体１との位置合わせが行われた後、傾動機構８によりヘア処理器４を枢動させたり、斜めに傾けたりしてヘア処理器４を施術に最適な被施術部位に合わせる。具体的にはヘア処理器４を把持して、ラチェット機構３０を作動させ、ラチェット歯車３１のラチェット歯３１ａにラチェット爪３２を係止させることにより、ヘア処理器４を図４、５に示されるように枢動させたり、図６に示されるように、水平位置にあるヘア処理器４を一点鎖線で示されるように左右いずれかの方向に傾けたり、図７に示されるように、略垂直状態にあるヘア処理器４を一点鎖線で示されるように上向きや下向きに傾ける。
【００２８】
図６、７に示される操作はラチェット機構３０のラチェット爪３２を無歯部３７に介入させれば、切換機構３４の姿勢保持用ばね３６による付勢力が解除されてラチェット爪３２は一旦自由な状態になるので、ラチェット爪３２を再びラチェット歯３１ａに係止するようにヘア処理器４の可動フレーム９を枢動させれば、ラチェット爪３２はラチェット歯３１ａにより姿勢を切り換えられることとなる。その姿勢でラチェット爪３２をラチェット歯車３１に係止させれば以前とは反対側のフランクに係止されることとなる。例えば図２の一点鎖線から図３に示される一点鎖線用に切り換えられることとなる。
【００２９】
このようにしてヘア処理器４の頂部ヘア処理部４ｂや側部ヘア処理部４ｃの位置決めを行ったうえ、頭部の乾燥を行なう際には、後部ヘア処理部４ａと頂部ヘア処理部４ｂおよび側部ヘア処理部４ｃの加熱機２０と送風機２１を作動させ、遠赤外線ヒータ２０ｂによる加熱と、送風機２１のファン２１ａによる送風を行なう。遠赤外線による加熱と送風により、極めて効率よくヘアの乾燥を行なうことができる。しかも、遠赤外線ヒータ２０ｂによる遠赤外線効果により、頭皮やヘアの代謝を活発化して傷んだ髪や頭皮を整えることができる。
【００３０】
また、薬液を用いたパーマあるいはブローセットの際には、被施術者の頭部の略全体に温ミストが噴霧されるように後部ヘア処理部４ａと頂部ヘア処理部４ｂ、側部ヘア処理部４ｃとを配置させるものとする。この状態で後部ヘア処理部４ａと頂部ヘア処理部４ｂ、側部ヘア処理部４ｃのミスト噴霧機２２を作動させて頭部全体に温ミストを噴霧すれば、６０℃前後の温ミストはヘア内に浸透して還元アルカリにより失われる水分を補うとともに、薬液の活性化を促進することとなる。また、ブローセットの場合は、ブローセットを行なう前に、後部ヘア処理部４ａと頂部ヘア処理部４ｂ、側部ヘア処理部４ｃのミスト噴霧機２２により温ミストを噴霧させて、６０℃前後の温ミストをヘア内に浸透させて、ブローの高温から髪を守り、乾燥し過ぎを防止する。
【００３１】
前記温ミスト噴霧の際、ミスト噴霧機２２からの温ミストは図１２に示される、蒸気発生機構２により発生された蒸気とミスト発生機構３により発生されたミストを混合器５５により混合されたミストが送出され、再加熱装置２３により再加熱されて、６０℃前後の温ミストとして噴霧される。また送風機２１による送風と温ミストの噴霧を同時に行なえば、温ミストはより強く噴霧されてヘアの奥の隅々にまで進入して頭皮に近い位置にあるヘアにも短時間で水分を浸透させることができる。
【００３２】
また、必要に応じて、ミスト噴霧機２２と加熱機２０とを併用することにより、後部ヘア処理部４ａ、頂部ヘア処理部４ｂ、側部ヘア処理部４ｃにより種々のヘア処理を行なうことができることとなる。また、ミスト噴霧機２２により温ミストを噴霧する際、噴霧ノズル２２ａ内に付着する結露水は、噴霧ノズル２２ａの先端内周面に形成した環状の堰２２ｂや、噴霧ノズル２２ａの周囲に巻装したヒータ２３等よりなる液垂れ防止機構４０により、結露水の垂れは確実に防止されるので、被施術者に結露水が垂れることがなく、ヘア処理時、染めむらや色むらが生じることがないうえに、被施術者に不快感を与えることがない。
【００３３】
なお、前記好ましい実施の形態では、切換機構３４を姿勢保持用ばね３６と無歯部３７よりなるものとしているが、ソレノイドを用いて電気的に切り換えるものとしてもよいことは勿論である。
【図面の簡単な説明】
【００３４】
【図１】本発明の好ましい実施の形態のラチェット機構を示す一部切欠側面図である。
【図２】本発明の好ましい実施の形態のラチェット機構を示す一部切欠側面図である。
【図３】本発明の好ましい実施の形態のラチェット機構の状態を異にして示す一部切欠側面図である。
【図４】本発明の好ましい実施の形態を示す一部切欠側面図である。
【図５】本発明の好ましい実施の形態を示す一部切欠平面図である。
【図６】本発明の好ましい実施の形態に用いられる頂部ヘア処理部を示す一部切欠正面図である
【図７】本発明の好ましい実施の形態に用いられる側部ヘア処理部を示す一部切欠正面図である
【図８】本発明の好ましい実施の形態に用いられるヘア処理器の断面図である。
【図９】本発明の好ましい実施の形態に用いられるヘア処理器の正面図である。
【図１０】本発明の好ましい実施の形態のヘッドを高さ調整自在なヘッド取付用キャスター付きスタンドに取り付けた例を示す正面図である。
【図１１】本発明の好ましい実施の形態のヘッド本体を建物に取り付けられるヘッド取付アームに取り付けた例を示す側面図である。
【図１２】本発明の好ましい実施の形態のヘッド本体に組み込まれる装置を示す概略説明図である。
【符号の説明】
【００３５】
１  ヘッド本体
４  ヘア処理器
７  ベースフレーム
９  可動フレーム
20  加熱機
21  送風機
22  ミスト噴霧機
23  再加熱装置
31  ラチェット歯車
32  ラチェット爪
33  枢軸
34  切換機構
35  引張ばね
36  姿勢保持用ばね
37  無歯部
【図１】
2005087534.tif 000003
【図２】
2005087534.tif 000004
【図３】
2005087534.tif 000005
【図４】
2005087534.tif 000006
【図５】
2005087534.tif 000007
【図６】
2005087534.tif 000008
【図７】
2005087534.tif 000009
【図８】
2005087534.tif 000010
【図９】
2005087534.tif 000011
【図１０】
2005087534.tif 000012
【図１１】
2005087534.tif 000013
【図１２】
2005087534.tif 000014